(57)【要約】【課題】壁部を容易かつ外観よく破断する。【解決手段】包装箱１０は、第１壁部１１Ａ，１１Ｂに設けられた操作部２２と、第１壁部１１Ａ，１１Ｂの左右方向の側部から操作部２２に向けて内側上方向に傾斜して延びる補助折曲線３０と、操作部２２から補助折曲線３０の左右方向の外側端部に向けて延びる第１破断線２５と、第１破断線２５の端部から、第１壁部１１Ａ，１１Ｂに連設した第２壁部１６Ａ，１６Ｂ，１７Ａ，１７Ｂの先端縁または第１壁部１１Ａ，１１Ｂの上端縁にかけて延びる第２破断線２６とを備える。【選択図】図１
2014037254.tif 000002
【特許請求の範囲】
【請求項１】
連続した３以上の壁部を有する囲繞壁と、前記囲繞壁の壁部に連設した壁部からなり前記囲繞壁の両端開口を閉塞する封緘壁とを備えた紙製容器において、
前記囲繞壁の壁部のうちの第１壁部に設けられ、上向きに破断操作される操作部と、
前記第１壁部の左右方向の側部から前記操作部に向けて内側上方向に傾斜して延び、前記操作部の操作により前記第１壁部を谷折りさせる補助折曲線と、
前記操作部から前記補助折曲線の左右方向の外側端部に向けて延び、前記操作部の操作により前記操作部側から前記第１壁部を破断する第１破断線と、
前記第１破断線の端部から、前記第１壁部に連設した前記封緘壁の壁部のうちの第２壁部の先端縁または前記第１壁部の上端縁にかけて延び、前記操作部の操作により前記第１破断線に沿った前記第１壁部の破断に続いて、前記第２壁部または前記第１壁部を破断する第２破断線と、
を備えることを特徴とする紙製容器。
【請求項２】
前記操作部から前記第１壁部の上端縁に向けて延びる第２の補助折曲線を更に設けたことを特徴とする請求項１に記載の紙製容器。
【請求項３】
複数の壁部を連設した紙製品のうち、前記壁部のうちの第１壁部を破断するための破断用罫線構造であって、
前記第１壁部に設けられ、縦方向に破断操作される操作部と、
前記第１壁部の横方向の側部から前記操作部に向けて内側縦方向に傾斜して延び、前記操作部の操作により前記第１壁部を谷折りさせる補助折曲線と、
前記操作部から前記補助折曲線の横方向の外側端部に向けて延び、前記操作部の操作により前記操作部側から前記第１壁部を破断する第１破断線と、
前記第１破断線の端部から、前記第１壁部に連設した第２壁部の先端縁または前記第１壁部の縦方向の端縁にかけて延び、前記操作部の操作により前記第１破断線に沿った前記第１壁部の破断に続いて、前記第２壁部または前記第１壁部を破断する第２破断線と、
を備えることを特徴とする紙製品の破断用罫線構造。
【発明の詳細な説明】
【技術分野】
【０００１】
本発明は、紙製容器および紙製品の破断用罫線構造に関するものである。
【背景技術】
【０００２】
段ボール紙製の包装箱は、一方向に連続した４面の壁部を有する囲繞壁と、この囲繞壁の両端開口を閉塞する封緘壁とを備えている。封緘壁は、囲繞壁の各壁部に連設した壁部であるフラップを重ね合わせて貼着することにより構成される。
【０００３】
ラップアラウンド形式の包装箱は、例えば缶飲料等の商品が収容され、封緘壁が横方向に位置するように使用される。この包装箱は、フラップを連設した側壁部を横方向に破断可能とし、上半分を分離したトレー状とすることにより、店頭にて内部の商品を簡単に陳列できるようにしている。
【０００４】
例えば、特許文献１の包装箱は、対向した一対の側壁部に破断操作を行う操作部を設け、この操作部から側壁部の両側縁にかけて第１破断線が設けられている。また、包装箱には、各側壁部の横に連設したフラップに、第１破断線の端部から先端縁にかけて延びる第２破断線が設けられている。第１および第２破断線は、一面側から他面側にかけて貫通した切断部と連続部とを交互に設けたミシン目状カット線からなる。また、特許文献２には、特許文献１の第１破断線を、片ジッパーにより構成した包装箱が記載されている。
【０００５】
しかしながら、特許文献１，２の包装箱は、立設した側壁部に対して横方向に延びるように第１破断線を設けたものであるため、操作部を上向きに開くように操作しても、その操作力を第１破断線の連続部に作用させて破断することが困難である。即ち、破断するための操作方向が側壁部に沿った方向であるため、複数の連続部を引っ張りにより破断する必要があるため、大きな操作力が必要になる。なお、側壁部の内面側に破断手段として樹脂テープを配設すれば、破断に関する作業性は向上できるが、この場合には、段ボール紙を構成する表ライナが引き裂かれて不揃いになり、外観が悪くなる。
【先行技術文献】
【特許文献】
【０００６】
【特許文献１】登録実用新案第３１５６８３５号公報
【特許文献２】特開２０１２−９１７９９号公報
【発明の概要】
【発明が解決しようとする課題】
【０００７】
本発明は、壁部を容易かつ外観よく破断可能な紙製容器および破断用罫線構造を提供することを課題とする。
【課題を解決するための手段】
【０００８】
前記課題を解決するため、本発明の紙製容器は、連続した３以上の壁部を有する囲繞壁と、前記囲繞壁の壁部に連設した壁部からなり前記囲繞壁の両端開口を閉塞する封緘壁とを備えた紙製容器において、前記囲繞壁の壁部のうちの第１壁部に設けられ、上向きに破断操作される操作部と、前記第１壁部の左右方向の側部から前記操作部に向けて内側上方向に傾斜して延び、前記操作部の操作により前記第１壁部を谷折りさせる補助折曲線と、前記操作部から前記補助折曲線の左右方向の外側端部に向けて延び、前記操作部の操作により前記操作部側から前記第１壁部を破断する第１破断線と、前記第１破断線の端部から、前記第１壁部に連設した前記封緘壁の壁部のうちの第２壁部の先端縁または前記第１壁部の上端縁にかけて延び、前記操作部の操作により前記第１破断線に沿った前記第１壁部の破断に続いて、前記第２壁部または前記第１壁部を破断する第２破断線と、を備える構成としている。
即ち、本発明の紙製品の破断用罫線構造は、前記第１壁部に設けられ、縦方向に破断操作される操作部と、前記第１壁部の横方向の側部から前記操作部に向けて内側縦方向に傾斜して延び、前記操作部の操作により前記第１壁部を谷折りさせる補助折曲線と、前記操作部から前記補助折曲線の横方向の外側端部に向けて延び、前記操作部の操作により前記操作部側から前記第１壁部を破断する第１破断線と、前記第１破断線の端部から、前記第１壁部に連設した第２壁部の先端縁または前記第１壁部の縦方向の端縁にかけて延び、前記操作部の操作により前記第１破断線に沿った前記第１壁部の破断に続いて、前記第２壁部または前記第１壁部を破断する第２破断線と、を備えるものである。なお、この罫線構造において、縦方向および横方向という記載は、補助折曲線や破断線を形成する方向性を明確にすることを目的としたもので、上下方向や左右方向に限定されるものではない。
【０００９】
本発明では、操作部に向けて内側上（縦）方向に傾斜して延びる補助折曲線を設けているため、操作部の操作により第１壁部が補助折曲線に沿って谷折れする。これにより、補助折曲線を支点としたてこの原理により、第１壁部に沿った引っ張り方向の操作力が、第１壁部に対して交差する外方向に作用する。その結果、第１破断線の連続部の破断に関する省力化を図ることができ、確実に作業性を向上できる。そして、第１破断線に沿った第１壁部の破断後に、第２破断線に沿って第２壁部または第１壁部を破断することができる。しかも、第１および第２破断線は、一部に連続部を有するものであるため、設定通りの破断縁とすることができ、良好な外観を得ることができる。
【００１０】
この紙製容器では、前記操作部から前記第１壁部の上端縁に向けて延びる第２の補助折曲線を更に設けることが好ましい。このようにすれば、第１の補助折曲線に沿って第１壁部を確実に谷折れさせることができる。
【発明の効果】
【００１１】
本発明では、操作部の操作により第１壁部を補助折曲線に沿って谷折れさせ、この補助折曲線を支点として操作力を外方向に作用させることにより、第１破断線に沿った破断作業に関する省力化を図り、確実に作業性を向上できる。しかも、第１および第２破断線は、一部に連続部を有するものであるため、良好な外観の破断縁とすることができる。
【図面の簡単な説明】
【００１２】
【図１】本発明の第１実施形態の破断用罫線構造を用いた紙製容器である包装箱を示す斜視図である。
【図２】破断作業の一段階を示す斜視図である。
【図３】破断作業の他の一段階を示す斜視図である。
【図４】破断状態を示す斜視図である。
【図５】（Ａ）は図１の状態、（Ｂ）は図２の状態、（Ｃ）は図３の状態を示す要部断面図である。
【図６】第１実施形態の包装箱のブランクを示す平面図である。
【図７】図６の要部拡大平面図である。
【図８】（Ａ）〜（Ｃ）は図６の要部拡大断面図である。
【図９】第２実施形態の包装箱のブランクの要部拡大平面図である。
【図１０】第３実施形態の包装箱のブランクの要部拡大平面図である。
【図１１】第４実施形態の包装箱のブランクの要部拡大平面図である。
【図１２】第５実施形態の包装箱のブランクの要部拡大平面図である。
【図１３】第６実施形態の包装箱のブランクの要部拡大平面図である。
【図１４】第７実施形態の包装箱を示す斜視図である。
【図１５】第８実施形態の包装箱を示す斜視図である。
【発明を実施するための形態】
【００１３】
以下、本発明の実施の形態を図面に従って説明する。
【００１４】
（第１実施形態）
図１は、本発明に係る第１実施形態の破断用罫線構造を適用した段ボール紙製品（容器）である包装箱１０を示す。この包装箱１０は、側壁部１１Ａ，１１Ｂ、底壁部１２および天壁部１３を有する筒状の囲繞壁と、この囲繞壁の両端開口を閉塞するフラップ１６Ａ，１６Ｂ〜１９Ａ，１９Ｂからなる封緘壁とを備え、この封緘壁を横方向に配置したラップアラウンド形式のものである。そして、本実施形態では、第１破断線２５および第２破断線２６を設けて包装箱１０を上下に分割可能とし、かつ、補助折曲線３０〜３２を設けて破断時の作業性を向上したものである。
【００１５】
この包装箱１０は、段ボール紙１を周知の紙器打抜装置によって、一枚のブランクとして打ち抜いて形成される。段ボール紙１は、図８（Ａ）に示すように、表ライナ２および裏ライナ３の間に波状の中しん４を配設した周知のものである。
【００１６】
包装箱１０のブランクは、図６に示すように、上側から下側に向けて側壁部１１Ａ、底壁部１２、側壁部１１Ｂおよび天壁部１３の順番で、略同一幅の矩形状をなす壁部が連続するように設けられている。これらは、組立状態で四角筒状をなすように構成される囲繞壁であり、上側端部に位置する側壁部１１Ａには、下側端部に位置する天壁部１３の端縁に貼着するための糊代部１４が連設されている。これらの各境界部分には、図８（Ｂ）に示すように、肉厚を圧縮するように裏ライナ３の側から罫を入れて形成した折曲線１５が設けられている。
【００１７】
側壁部１１Ａの左右両側縁には内フラップ１６Ａ，１６Ｂが連設され、側壁部１１Ｂの左右両側縁には内フラップ１７Ａ，１７Ｂが連設されている。また、底壁部１２の左右両側縁には外フラップ１８Ａ，１８Ｂが連設され、天壁部１３の左右両側縁には外フラップ１９Ａ，１９Ｂが連設されている。内フラップ１６Ａ，１６Ｂ，１７Ａ，１７Ｂと外フラップ１８Ａ，１８Ｂ，１９Ａ，１９Ｂとは、組立状態で互いに貼着される壁部であり、貼着により囲繞壁の両端開口を閉塞する封緘壁（端壁）を構成する。なお、外フラップ１８Ａ，１８Ｂ，１９Ａ，１９Ｂには、先端両側に内フラップ１６Ａ，１６Ｂ，１７Ａ，１７Ｂの中央部を露出させるための切欠部２０が設けられている。また、各壁部１１Ａ，１１Ｂ〜１３と各フラップ１６Ａ，１６Ｂ〜１９Ａ，１９Ｂとの境界部分には折曲線２１が設けられている。
【００１８】
これらのうち、組立状態で対向する一対の側壁部１１Ａ，１１Ｂは、破断操作用の操作部２２と所定位置で破断するための第１破断線２５とが設けられる第１壁部である。また、側壁部１１Ａ，１１Ｂに連設した内フラップ１６Ａ，１６Ｂ，１７Ａ，１７Ｂは、第１破断線２５の端部に連続する第２破断線２６が設けられる第２壁部である。そして、側壁部１１Ａ，１１Ｂには、第１破断線２５に沿った破断に関する操作力を省力化するために、第１から第３の補助折曲線３０〜３２が設けられている。
【００１９】
操作部２２は、図７に示すように、側壁部１１Ａ，１１Ｂの横（左右）方向および縦（上下）方向の略中央に設けた操作用破断線２３を備える。この操作用破断線２３は、直線状をなすように横方向に延びるように設けられている。操作用破断線２３の下側には、３本の押込用折曲線２４Ａ〜２４Ｃが設けられている。押込用折曲線２４Ａは、操作用破断線２３の中央から縦方向に延びるように設けられている。押込用折曲線２４Ｂ，２４Ｃは、操作用破断線２３の両端側から押込用折曲線２４Ａの下端にかけて傾斜して延びるように設けられている。
【００２０】
第１破断線２５は、操作用破断線２３の両端から、第１の補助折曲線３０の外側端部である側壁部１１Ａ，１１Ｂの左右両側縁にかけて横方向に延びるように設けられている。この第１破断線２５は、円弧による凹凸を繰り返す波状に形成されている。第２破断線２６は、折曲線２１上に位置する第１破断線２５の端部から内フラップ１６Ａ，１６Ｂ，１７Ａ，１７Ｂの先端縁にかけて延びるように設けられている。この第２破断線２６は直線状をなし、先端が組立状態で外フラップ１８Ａ，１８Ｂ，１９Ａ，１９Ｂの切欠部２０内に位置するように形成されている。
【００２１】
各破断線２３，２５，２６は、一部に連続部２９を有するカット線からなる。具体的には、破断線２３，２５，２６は、フルカット（全切り）部２７とハーフカット（半切り）部２８とを交互に設けたものである。図８（Ｃ）に示すように、フルカット部２７は、裏ライナ３から表ライナ２にかけて刃を入れて貫通させたものである。ハーフカット部２８は、裏ライナ３の側から刃を入れて、裏ライナ３を切断し、表ライナ２は切断しない連続部２９としたものである。なお、中しん４は、切断した状態を図示しているが、一部のみが切断される場合や、切断されない場合がある。
【００２２】
第１の補助折曲線３０は、側壁部１１Ａ，１１Ｂの両側部である第１破断線２５の横方向の外側端部から、操作部２２に向けて内側かつ天壁部１３に向けて上方向に傾斜して延びるように設けられている。この第１の補助折曲線３０の先端（天壁部１３側）は、操作用破断線２３の外側端部と第１破断線２５の外側端部の間に位置する。しかも、第１の補助折曲線３０に対して直交方向に延びる仮想線を第１の補助折曲線３０の先端に設けた場合、その仮想線が第１破断線２５の内側端部近傍で交差するように設けられている。
【００２３】
第２の補助折曲線３１は、操作用破断線２３の両端部から、側壁部１１Ａ，１１Ｂの上端縁である天壁部１３との境界線（折曲線１５）に向けて縦（直交）方向に延びるように設けられている。第３の補助折曲線３２は、操作用破断線２３の両端部から、第１の補助折曲線３０の先端にかけて延びるように設けられている。
【００２４】
押込用折曲線２４Ａ〜２４Ｃおよび補助折曲線３０〜３２は、裏ライナ３の側から罫を入れて形成した図８（Ｂ）に示す通常の折曲線からなる。但し、押込用折曲線２４Ａ〜２４Ｃおよび第１の補助折曲線３０は、表ライナ２の側から罫を入れて形成した逆向きの折曲線（即ち逆罫）により構成し、破断操作時に谷折れし易くしてもよい。
【００２５】
この包装箱１０は、図６に示すブランクの状態で所定の製造メーカに出荷され、自動組立包装機により封緘される。例えば、ブランクを平坦に配置した状態で、底壁部１２に所定配列で缶飲料が載置される。その後、底壁部１２に対して側壁部１１Ａを折り曲げた後、側壁部１１Ａに対して糊代部１４を折り曲げる。また、底壁部１２に対して側壁部１１Ｂを折り曲げた後、天壁部１３を折り曲げる。そして、重畳する糊代部１４と天壁部１３の縁とを熱溶融樹脂からなる接着剤（ホットメルト）で接着する。
【００２６】
ここで、底壁部１２に対して側壁部１１Ａ，１１Ｂを折り曲げる際には、横方向に延びる第１破断線２５により、側壁部１１Ａ，１１Ｂが第１破断線２５に沿って折れ曲がるように力が作用する。そして、最悪の場合には、第１破断線２５の連続部２９が破断される可能性がある。しかし、本実施形態では第１破断線２５を波状に形成しているため、第１破断線２５に沿って折れ曲がったり破断したりすることを防止できる。
【００２７】
糊代部１４に天壁部１３を貼着することにより囲繞壁を形成すると、側壁部１１Ａ，１１Ｂに対して内フラップ１６Ａ，１６Ｂ，１７Ａ，１７Ｂを折り曲げた後、底壁部１２および天壁部１３に対して外フラップ１８Ａ，１８Ｂ，１９Ａ，１９Ｂを折り曲げる。そして、各フラップ１６Ａ，１６Ｂ〜１９Ａ，１９Ｂの重畳部分をホットメルトによって接着し、封緘壁を形成する。これにより、図１および図５（Ａ）に示す封緘状態とすることができる。
【００２８】
次に、包装箱１０の破断（開封）について具体的に説明する。なお、図２乃至図５（Ｂ），（Ｃ）では、側壁部１１Ｂの側を破断する場合のみを図示しているが、側壁部１１Ａの側を破断する場合も同様である。
【００２９】
まず、操作部２２の下部（例えば押込用折曲線２４Ａ上）に指を当てて、内向きに押圧する。これにより、操作用破断線２３の連続部２９を破断し、図２および図５（Ｂ）に示すように、側壁部１１Ｂにおける操作部２２の下部を内向きに押し込んだ状態とする。
【００３０】
ついで、押し込みにより露出した操作用破断線２３の上側破断縁２３ａに指を当てて、上向きに引き上げる。これにより、図３および図５（Ｃ）に示すように、側壁部１１Ｂの上部を外向きに撓ませながら、側壁部１１Ｂに沿った上方向の操作力を付与できる。その結果、側壁部１１Ｂの上部は、第２および第３の補助折曲線３１，３２に沿って山折りされ、第１の補助折曲線３０に沿って谷折れされる。
【００３１】
この状態で更に操作を続けると、第１の補助折曲線３０を支点としたてこの原理により、側壁部１１Ｂに沿った引っ張り方向の操作力が、側壁部１１Ｂに対して交差する外方向に作用する。また、第１の補助折曲線３０の傾斜により操作力は、操作部２２に近い側が強く作用し、操作部２２から遠い側が弱く作用する。即ち、多数の連続部２９に対して操作力を均等に加えるのではなく、強弱をつけて作用させるため、操作部２２に近い中央の連続部２９から離れた外側の連続部２９へと順次破断される。そして、第１破断線２５に沿った側壁部１１Ｂの破断が終了すると、引き続いて第２破断線２６に沿って内フラップ１７Ａ，１７Ｂが破断される。
【００３２】
そして、側壁部１１Ａおよび内フラップ１６Ａ，１６Ｂも同様にして破断することにより、図４に示すように、包装箱１０の上半分を分離できる。その結果、トレー状とした下半分に収容された商品を店頭にて簡単に陳列することができる。
【００３３】
このように、本実施形態の包装箱１０は、第２および第３の補助折曲線３１，３２により傾斜した第１の補助折曲線３０を確実に谷折れさせ、第１破断線２５の連続部２９の破断に関する省力化を図ることができる。よって、包装箱１０の破断（開封）作業性を向上できる。しかも、第１および第２破断線３０，３１は、一部に連続部２９を有するカット線からなるため、設定通りの良好な外観の破断縁とすることができる。
【００３４】
（第２実施形態）
図９は第２実施形態の破断用罫線構造を適用した包装箱１０を示す。この第２実施形態では、第３の補助折曲線３２を設けない構成とした点で、第１実施形態と相違する。具体的には、第１の補助折曲線３０は、第１破断線２５の端部から内側上方向に傾斜するように設けられ、その先端は、操作部２２（側壁部１１Ａ，１１Ｂ）の中央に位置するように設けられている。また、第２の補助折曲線３１は、操作用破断線２３の中央から一対の第１の補助折曲線３０の先端である交点に向けて１本だけ設けられている。このようにしても、第１実施形態と同様の作用および効果を得ることができる。
【００３５】
（第３実施形態）
図１０は第３実施形態の破断用罫線構造を適用した包装箱１０を示す。この第３実施形態では、第２の補助折曲線３１を設けない構成とした点で、第１実施形態と相違する。具体的には、第１の補助折曲線３０は、第１実施形態と同様に設けられている。また、第３の補助折曲線３２は、操作用破断線２３の中央から第１の補助折曲線３０の先端にかけて傾斜するように一対設けられている。このようにしても、第１実施形態と同様の作用および効果を得ることができる。
【００３６】
（第４実施形態）
図１１は第４実施形態の破断用罫線構造を適用した包装箱１０を示す。この第４実施形態では、第１破断線２５を直線状に延びる片ジッパー３３により構成した点で、第１実施形態と相違する。なお、片ジッパー３３は、所定間隔をもってミシン目状をなすように設けた切断部３３ａと、破断上流側である切断部３３ａの内側端に設けたガイド用切断部３３ｂとを有するものである。この第４実施形態では、底壁部１２に対して側壁部１１Ａ，１１Ｂを折り曲げる封緘時に、側壁部１１Ａ，１１Ｂが第１破断線２５に沿って折れ曲がる可能性はあるが、その他の面では第１実施形態と同様の作用および効果を得ることができる。
【００３７】
（第５実施形態）
図１２は第５実施形態の破断用罫線構造を適用した包装箱１０を示す。この第５実施形態では、操作部２２の構成を変更した点で、第１実施形態と相違する。具体的には、側壁部１１Ａ，１１Ｂの中央には、縦方向に延びる一対の第１切断部３４，３４と、これらの上端間にかけて設けた半円形状の第２切断部３５と、第１切断部３４，３４の下端間に設けた折曲線３６とを有する切起構造の操作部２２が設けられている。また、操作部２２の両側には一対の操作用破断線２３，２３が設けられている。この第５実施形態では、切起構造の操作部２２を設けているため、第１実施形態と同様に指で押圧することにより、容易に操作用のスペースを確保できる。そして、破断操作を行うことにより、第１実施形態と同様の作用および効果を得ることができる。
【００３８】
（第６実施形態）
図１３は第６実施形態の破断用罫線構造を適用した包装箱１０を示す。この第６実施形態では、第５実施形態と同様に操作部２２の構成を変更した点で、第１実施形態と相違する。具体的には、側壁部１１Ａ，１１Ｂの中央には、横方向に延びる折曲線３７が設けられている。また、折曲線３７の両端に連続するように、半円形状をなす操作用破断線３８が設けられている。この第２の操作用破断線３８は、フルカット部２７とハーフカット部２８とを交互に設けた図８（Ｃ）と同様の構成である。この第６実施形態では、第１実施形態と同様に指で押圧することにより、第２の操作用破断線３８に沿って側壁部１１Ａ，１１Ｂを破断して、操作用のスペースを確保できる。また、破断操作を行う際には、内向きに折り込まれた部分に指が当たるため、痛みを感じさせることはない。そして、破断操作を行うことにより、第１実施形態と同様の作用および効果を得ることができる。
【００３９】
（第７実施形態）
図１４は第７実施形態の包装箱４０を示す。この第７実施形態では、封緘壁を上下に配置した汎用の包装箱４０に破断用罫線構造を適用した点で、各実施形態と相違する。なお、包装箱４０は、各一対の側壁部４１Ａ，４１Ｂと端壁部４２Ａ，４２Ｂとが交互に連続した囲繞壁を備える。そして、端壁部４２Ａ，４２Ｂには、上端縁に上側内フラップ４３Ａ，４３Ｂが連設され、下端縁に下側内フラップ（図示せず）が連設されている。また、側壁部４１Ａ，４１Ｂには、上端縁に上側外フラップ４４Ａ，４４Ｂが連設され、下端縁に下側外フラップ（図示せず）が連設されている。
【００４０】
この包装箱４０において、一方の側壁部４１Ａには、第１実施形態と同様の操作部２２と第１破断線２５とが設けられている。但し、第１破断線２５は、側壁部４１Ａの両側縁手前まで延びる構成としている。そして、第１破断線２５の端部には、縦方向延びて上側外フラップ４４Ａの先端縁にかけて延びる第２破断線２６が設けられている。この第２破断線２６は、切断部とガイド用切断部とを有する片ジッパーにより構成されている。このように構成した包装箱４０においても、操作部２２により破断操作を行うことにより、第１実施形態と同様に第１破断線２５に沿って側壁部４１Ａを破断し、引き続いて第２破断線２６に沿って側壁部４１Ａおよび上側外フラップ４４Ａを破断することができる。
【００４１】
（第８実施形態）
図１５は第８実施形態の破断用罫線構造を適用した包装箱４０を示す。この第８実施形態では、第１実施形態と同様の第１破断線２５を側壁部４１Ａの両側縁にかけて設け、その両端部から側壁部４１Ａの上側縁にかけて第２破断線２６を設けた点で、第７実施形態と相違する。即ち、第８実施形態の第２破断線２６は、側壁部４１Ａと隣接する端壁部４２Ａ，４２Ｂの境界線に沿って、上側内フラップ４３Ａ，４３Ｂおよび上側外フラップ４４Ａの根元部分にかけて延びるように設けられている。このように構成した第８実施形態では、第７実施形態と同様の作用および効果を得ることができる。また、上側外フラップ４４Ａは、第２破断線２６に沿って側壁部４１Ａの上部を分離することにより、一体的に分離される。
【００４２】
なお、本発明の紙製容器および破断用罫線構造は、前記実施形態の構成に限定されるものではなく、種々の変更が可能である。
【００４３】
例えば、前記実施形態では、第１および第２破断線２５，２６を、フルカット部２７およびハーフカット部２８の組み合わせ、または、片ジッパー３３により構成したが、両方または一方を折曲線上に所定間隔をもって切断部を設けたミシン目状カット線により構成してもよい。また、ハーフカット部２８は、裏ライナ３の側から刃を入れて形成したが、表ライナ２、裏ライナ３および中しん４を貼り合わせる前の段階で裏ライナ３に切断部を形成するライナカットにより構成してもよい。さらに、フルカット部２７は設けずに、ハーフカット部２８のみにより構成してもよい。
【００４４】
また、前記各実施形態では、第１破断線２５を側壁部１１Ａ，１１Ｂ，４１Ａに対して水平方向に延びるように構成したが、所定方向に傾斜するように形成してもよい。さらに、前記実施形態では、第１破断線２５に対して１個の操作部２２を設けたが、１本の第１破断線２５に対して複数個の操作部２２を設けてもよい。
【００４５】
さらに、第１から第６実施形態では、一対の側壁部１１Ａ，１１Ｂに本発明の破断用罫線を設けたが、側壁部１１Ａ，１１Ｂの一方だけに破断用罫線を設け、他方は片ジッパーを対称に一対設けたジッパーや樹脂テープ等の破断手段を設ける構成としてもよい。また、各実施形態では、第１の補助折曲線３０の他に第２および／または第３の補助折曲線３１，３２を設ける構成としたが、第１の補助折曲線３０だけを設ける構成としてもよい。
【００４６】
そして、各実施形態では、包装箱１０，４０は、囲繞壁を４面の壁部により構成したが、隣接する壁部間に面取り壁部を形成した８面の壁部により構成してもよい。勿論、３面の壁部によって構成してもよいうえ、５面以上の壁部により構成したものとしてもよい。また、各実施形態では、破断用罫線を形成する紙製品として包装箱１０，４０を例に挙げて説明したが、連続した複数の壁部を有する紙製品であればいずれでも適用可能である。さらに、前記各実施形態では段ボール紙製の紙製品としたが、単紙（ボール紙）製としてもよく、周知の紙により形成すれば、前記と同様の作用、効果を得ることができる。
【符号の説明】
【００４７】
１０…包装箱（紙製品）
１１Ａ，１１Ｂ…側壁部（囲繞壁，第１壁部）
１２…底壁部（囲繞壁）
１３…天壁部（囲繞壁）
１６Ａ，１６Ｂ，１７Ａ，１７Ｂ…内フラップ（封緘壁，第２壁部）
１８Ａ，１８Ｂ，１９Ａ，１９Ｂ…外フラップ（封緘壁）
２２…操作部
２５…第１破断線
２６…第２破断線
２９…連続部
３０…第１の補助折曲線
３１…第２の補助折曲線
３２…第３の補助折曲線
４０…包装箱
４１Ａ，４１Ｂ…側壁部（囲繞壁）
４２Ａ，４２Ｂ…端壁部（囲繞壁）
４３Ａ，４３Ｂ…上側内フラップ（封緘壁）
４４Ａ，４４Ｂ…上側外フラップ（封緘壁）
【図１】
2014037254.tif 000003
【図２】
2014037254.tif 000004
【図３】
2014037254.tif 000005
【図４】
2014037254.tif 000006
【図５】
2014037254.tif 000007
【図６】
2014037254.tif 000008
【図７】
2014037254.tif 000009
【図８】
2014037254.tif 000010
【図９】
2014037254.tif 000011
【図１０】
2014037254.tif 000012
【図１１】
2014037254.tif 000013
【図１２】
2014037254.tif 000014
【図１３】
2014037254.tif 000015
【図１４】
2014037254.tif 000016
【図１５】
2014037254.tif 000017